(57)【要約】【課題】シリンジ針を相分離した試料に導入しても、上相の影響を受けずに、下相への成分の注入または下相からの成分の抽出を行うことができるシリンジ針およびシリンジ針の使用方法を提供する。【解決手段】中空状の円筒部４と、先端部３とを有するシリンジ針１において、円筒部４の側面または先端部３に存在する開口部に開閉装置２を有する。また、固体または液体からなる上相と、該上相の下に液体からなる下相を有する試料に、シリンジ針１を導入し、下相中にてシリンジ針１の開閉装置２を開閉して、下相への成分の注入または前記下相からの成分の抽出を行う使用方法である。【選択図】図１
2010194225.tif 000002
【特許請求の範囲】
【請求項１】
中空状の円筒部と、先端部とを有するシリンジ針において、
前記円筒部の側面または前記先端部に存在する開口部に開閉装置を有することを特徴とするシリンジ針。
【請求項２】
前記先端部が、前記円筒部の内径が次第に細くなる形状である請求項１記載のシリンジ針。
【請求項３】
前記開閉装置が、開閉式の弁である請求項１または２記載のシリンジ針。
【請求項４】
前記開閉装置が、前記円筒部から先端部に至るまで挿嵌される内側筒体を有し、該内側筒体を出し入れすることにより前記開口部が開閉される請求項１または２記載のシリンジ針。
【請求項５】
前記開閉装置が、前記円筒部から先端に至るまで回転自在に挿嵌され、かつ前記開口部と重なる位置に開口部がある内側筒体を有し、前記内側筒体の開口部と、前記円筒部の側面または前記先端部に存在する開口部とを一致または不一致とすることにより前記開口部が開閉される請求項１または２記載のシリンジ針。
【請求項６】
固体または液体からなる上相と、該上相の下に液体からなる下相を有する試料に、請求項１〜５のうちいずれか一項に記載のシリンジ針を導入し、
前記下相中にて前記シリンジ針の開閉装置を開閉して、前記下相への成分の注入または前記下相からの成分の抽出を行うことを特徴とするシリンジ針の使用方法。
【発明の詳細な説明】
【技術分野】
【０００１】
本発明は、シリンジ針およびシリンジ針の使用方法に関し、詳しくは、シリンジ針を相分離した試料に導入しても、上相の影響を受けずに、下相への液体の注入または下相からの成分の抽出を行うことができるシリンジ針およびシリンジ針の使用方法に関する。
【背景技術】
【０００２】
従来からシリンジ針は、液体の注入または成分の抽出のために使用されている。特に、医療分野においては非常によく使用されており、様々なシリンジ針が提案されている。
【０００３】
例えば、特許文献１には、内孔を注射針の外部に流体的に連結する１つ以上の開口が存在しており、その少なくとも１つの開口の少なくとも一部が円筒部および／または細長部の側面または上にある注射針が開示されている。このように、側面に開口を持つことにより、注射針を注入した後に、開口を経由して液体を注入することができる。
【先行技術文献】
【特許文献】
【０００４】
【特許文献１】特開２００５−５２３０８２号公報（特許請求の範囲等）
【発明の概要】
【発明が解決しようとする課題】
【０００５】
特許文献１記載のように、注射針を皮膚に挿入して液体を注入する場合は、皮膚が固い固体であるため、注射針の開口部から注射針の内部に皮膚が侵入するおそれはない。しかしながら、液−液分液、固−液分液した試料においては、抽出の場合に、上相の液体や固体の状態によっては注射針内に成分が浸入するおそれがある。図５は、従来のシリンジ針を示す断面図であり、図６は、従来のシリンジ針の使用方法を示す断面図である。図５に示すように、従来のシリンジ針３１は、先端に開口部３２を有し常に開口されているため、図６に示すように、上相１７と下相１８を有する試料１９にシリンジ針３１を導入すると、シリンジ針３１の先端に上相の成分１７ａが浸入し、下相１８の成分のみを抽出することができない。また、下相１８へ液体を注入する場合にも、同様に上相１７の液体や固体がシリンジ針３１内に浸入するおそれがあるとともに、上相１７の液体や固体内に注入液が漏れるおそれがある。
【０００６】
そこで本発明の目的は、シリンジ針を相分離した試料に導入しても、上相の影響を受けずに、下相への成分の注入または下相からの成分の抽出を行うことができるシリンジ針およびシリンジ針の使用方法を提供することにある。
【課題を解決するための手段】
【０００７】
本発明者は、上記課題を解決すべく鋭意検討した結果、所定の開閉機能をシリンジ針に設けることで、上相の影響を受けずに、相への成分の注入または下相からの成分の抽出を行うことができることを見出して、本発明を完成するに至った。
【０００８】
即ち、本発明のシリンジ針は、中空状の円筒部と、先端部とを有するシリンジ針において、
前記円筒部の側面または前記先端部に存在する開口部に開閉装置を有することを特徴とするものである。
【０００９】
本発明のシリンジ針においては、好ましくは、前記先端部が、前記円筒部の内径が次第に細くなる形状である。
【００１０】
本発明のシリンジ針においては、前記開閉装置が、好ましくは開閉式の弁である。
【００１１】
また、好ましくは、前記開閉装置が、前記円筒部から先端部に至るまで挿嵌される内側筒体を有し、該内側筒体を出し入れすることにより前記開口部が開閉されるようにしてもよい。
【００１２】
さらに、好ましくは、前記開閉装置が、前記円筒部から先端に至るまで回転自在に挿嵌され、かつ前記開口部と重なる位置に開口部がある内側筒体を有し、前記内側筒体の開口部と、前記円筒部の側面または前記先端部に存在する開口部とを一致または不一致とすることにより前記開口部が開閉されるようにしてもよい。
【００１３】
本発明のシリンジ針の使用方法は、固体または液体からなる上相と、該上相の下に液体からなる下相を有する試料に前記シリンジ針を導入し、
前記下相中にて前記シリンジ針の開閉装置を開閉して、前記下相への成分の注入または前記下相からの成分の抽出を行うことを特徴とするものである。
【発明の効果】
【００１４】
本発明によれば、上記構成としたことにより、シリンジ針を相分離した試料に導入しても、上相の影響を受けずに、下相への成分の注入または前記下相からの成分の抽出を行うことができるシリンジ針およびシリンジ針の使用方法を提供することが可能となる。
【図面の簡単な説明】
【００１５】
【図１】本発明のシリンジ針の一例を示す説明図である。
【図２】本発明のシリンジ針の他の一例を示す説明図である。
【図３】本発明のシリンジ針の使用方法の一例を示す説明図である。
【図４】本発明のシリンジ針のさらに他の一例を示す説明図である。
【図５】従来のシリンジ針を示す斜視図である。
【図６】従来のシリンジ針の使用方法を示す説明図である。
【発明を実施するための形態】
【００１６】
以下、本発明の好適な実施の形態について詳細に説明する。
本発明のシリンジ針は、中空状の円筒部と、先端部とを有し、該円筒部の側面または該先端部に存在する開口部に開閉装置を有するものである。かかる開閉装置を設けることにより、シリンジ針を相分離した試料に導入しても、上相の影響を受けずに、下相への成分の注入または前記下相からの成分の抽出を行うことができる。
【００１７】
なお、本発明において、かかる試料としては、上相と下相の間、あるいは下相の下に固体または液体からなる層を有していてもよい。
【００１８】
また、本発明のシリンジ針は、先端部は円筒部の内径が次第に細くなるものであることが好ましく、例えば、円錐状に細くなるか（図１（ｃ）、（ｄ））、あるいは刃状に細くなっていてもよい（図１（ａ）、（ｂ））。
【００１９】
本発明に係る開閉装置は、特に限定されないが、以下の好適実施形態を挙げることができる。
【００２０】
図１（ａ）および（ｂ）は、本発明のシリンジ針の一好適例を示す説明図である。シリンジ針１は、先端部３の開口部に弁２を有し、弁２が開閉装置となっている。図１（ａ）では弁２が閉じた状態となっている。弁２は、図１（ｂ）に示すように、その一端が先端部３に可動自在に取り付けられ、開くことができる。
【００２１】
また、図１（ｃ）および（ｄ）は、弁２をシリンジ針１の円筒部４の側面に設けた好適例である。シリンジ針１は、円筒部４の側面の開口部に弁２を有し、弁２が開閉装置となっている。図１（ｃ）では弁２が閉じた状態となっている。弁２は、図１（ｄ）に示すように、その一端が円筒部４の側面に可動自在に取り付けられ、開くことができる。開閉装置を図１に示す弁２とすることにより、シリンジ針を相分離した試料に導入しても、上相の影響を受けずに、下相への成分の注入または下相からの成分の抽出を行うことができる。
【００２２】
図２は、本発明のシリンジ針の他の好適例を示す説明図である。図示するシリンジ針１１は、図２（ａ）に示すように、開閉装置が、円筒部から先端部に至るまで挿嵌される内側筒体１２を有する。内側筒体１２を出し入れすることにより開口部１４が開閉される。
【００２３】
かかる開閉装置は、内側筒体１２と、開口部１４を有する円筒部１３との２重構造を有する。円筒部１３は、その内径が次第に細くなる先端部３を有する。一方、内側筒体１２は中実状の円筒部と、該円筒部の内径が次第に細くなる先端部を有し、円筒部１３から先端部３に至るまで挿嵌される構造を有する。なお、開口部１４は円筒部１３ではなく、先端部３に設けてもよく、また、内側筒体１２は中実状でも中空状でもよい。
【００２４】
かかる構造とすることにより、内側筒体１２により円筒部１３の開口部１４を塞ぐことができる。また、このシリンジ針１１は、内側筒体１２を図２（ｂ）の長手方向（矢印）に引き抜くことにより開口部１４を開くことができる。
【００２５】
図３は、図２に示すシリンジ針１１の使用方法の一例を示す説明図である。図３（ａ）に示すように、先ず、開口部１４を閉じた状態で、上相１７と下相１８を有する試料１９にシリンジ針１１を導入する。その後、図３（ｂ）に示すように、シリンジ針１１を下相１８まで導入させた段階で内側筒体１２を引き抜くことにより開口部１４を開き、下相１８の成分のみを円筒部１３の中空部分に抽出することができる（矢印Ａ）。
【００２６】
図４は、本発明のシリンジ針のさらに他の好適例を示す説明図である。図示するシリンジ針２１は、図４（ａ）に示すように、開口部２５を有する内側筒体２２と開口部２４を有する円筒部２３とからなる。かかるシリンジ針２１においては、内側筒体２２が、円筒部２３から先端に至るまで回転自在に挿嵌され、かつ開口部２４と重なる位置に開口部２５が存在する。内側筒体２２の開口部２５と、円筒部２３の側面に存在する開口部２４とを一致または不一致とすることにより開口部２４を開閉することができる。
【００２７】
具体的には、内側筒体２２の開口部２５と円筒部２３の開口部２４とが重ならないようにしたときには、開閉装置が閉じている（図４（ｂ）参照）。一方、内側筒体２２の開口部２５と円筒部２３の開口部２４とが重なっているときには開閉装置が開いている。開閉装置の開閉は、内側筒体２２を回転させることにより容易に行うことができる。
【００２８】
本発明のシリンジ針の大きさは特に限定されず、用途に応じ適宜定めることができる。また、シリンジ針の材質も、試料中の成分と反応しないものであれば特に限定されず、例えば、プラスチック、金属等を適宜使用でき、好ましくはステンレス鋼を用いることができる。
【実施例】
【００２９】
以下、本発明を、実施例を用いてより詳細に説明する。
（実施例１〜４）
実施例１〜４として、図１（a）および（ｂ）に示すタイプのシリンジ針Ａ1およびＡ２と、図１（ｃ）および（ｄ）に示すタイプのシリンジ針Ｂと、図２に示すタイプのシリンジ針Ｃと、図４に示すタイプのシリンジ針Ｄと、を夫々ステンレス鋼にて作製した。
【００３０】
（比較例）
一方、比較例として、図５に示す従来タイプのシリンジ針をステンレス鋼にて作製した。
【００３１】
実施例１〜４および比較例のシリンジ針を使用して、上相および下相を有する二層型の試料の下相の成分の抽出を行った。実施例１〜４では、上相の成分を含むことなく下相の成分のみを良好に抽出することができたのに対し、比較例では、上相の成分が混在し、下相の成分だけを抽出することはできなかった。
【符号の説明】
【００３２】
１、１１、２１  シリンジ針
２  弁
３  先端部
４、１３、２３  円筒部
１２、２２  内側筒体
１４、２４  開口部
１７  上相
１７ａ  上相の成分
１８  下相
１９  試料
２５  開口部
３１  従来のシリンジ針
３２  開口部
【図１】
2010194225.tif 000003
【図２】
2010194225.tif 000004
【図３】
2010194225.tif 000005
【図４】
2010194225.tif 000006
【図５】
2010194225.tif 000007
【図６】
2010194225.tif 000008